(57)【要約】      （修正有）【課題】ネットワークの通信をモニタリングすることなく、無線通信システムの負荷を測定する推定装置を提供する。【解決手段】ＬＴＥシステムの一のセル内において測定された、一のセルから受信した参照信号の受信強度を示す自セルＲＳＲＰ（Ｒｅｆｅｒｅｎｃｅ  Ｓｉｇｎａｌ  Ｒｅｃｅｉｖｅｄ  Ｐｏｗｅｒ）と、参照信号の受信品質を示すＲＳＲＱ（Ｒｅｆｅｒｅｎｃｅ  Ｓｉｇｎａｌ  Ｒｅｃｅｉｖｅｄ  Ｑｕａｌｉｔｙ）と、一のセル以外の他のセルから受信した参照信号の受信強度を示す他セルＲＳＲＰとを取得する測定結果取得部と、自セルＲＳＲＰ、ＲＳＲＱ及び他セルＲＳＲＰに基づいて、一のセルにおけるＰＲＢ（Ｐｈｙｓｉｃａｌ  Ｒｅｓｏｕｒｃｅ  Ｂｌｏｃｋ）の使用率と、一のセル及び他のセルにおけるＰＲＢの平均使用率との少なくともいずれかの推定値を導出する推定値導出部とを備える。【選択図】図４
2015204520.tif 000002
【特許請求の範囲】
【請求項１】
ＬＴＥシステムの一のセル内において測定された、前記一のセルから受信した参照信号の受信強度を示す自セルＲＳＲＰと、前記参照信号の受信品質を示すＲＳＲＱと、前記一のセル以外の他のセルから受信した参照信号の受信強度を示す他セルＲＳＲＰとを取得する測定結果取得部と、
前記自セルＲＳＲＰ、前記ＲＳＲＱ及び前記他セルＲＳＲＰに基づいて、前記一のセルにおけるＰＲＢの使用率と、前記一のセル及び前記他のセルにおけるＰＲＢの平均使用率との少なくともいずれかの推定値を導出する推定値導出部と
を備える推定装置。
【請求項２】
前記ＲＳＲＱに基づいて、前記一のセル及び前記他のセルからの受信信号強度の合計を示す自他セルＲＳＳＩを導出する自他セルＲＳＳＩ導出部と、
前記自セルＲＳＲＰ、前記他セルＲＳＲＰ及び前記自他セルＲＳＳＩに基づいて、前記一のセル内の測定地点におけるトラフィック信号の受信信号強度の合計を示すトラフィックＲＳＳＩを導出するトラフィックＲＳＳＩ導出部と
をさらに備え、
前記推定値導出部は、前記自セルＲＳＲＰ、前記他セルＲＳＲＰ及び前記トラフィックＲＳＳＩに基づいて、前記一のセル及び前記他のセルにおけるＰＲＢの平均使用率の推定値を導出する、請求項１に記載の推定装置。
【請求項３】
前記測定結果取得部は、前記一のセル内において測定されたＳＩＮＲをさらに取得し、
前記推定装置は、
前記ＲＳＲＱに基づいて、前記一のセル及び前記他のセルからの受信信号強度の合計を示す自他セルＲＳＳＩを導出する自他セルＲＳＳＩ導出部と、
前記自セルＲＳＲＰ及び前記ＳＩＮＲに基づいて、前記他のセルからの受信信号強度の合計を示す他セルＲＳＳＩを導出する他セルＲＳＳＩ導出部と
前記自他セルＲＳＳＩ及び前記他セルＲＳＳＩに基づいて、前記一のセルからの受信信号強度の合計を示す自セルＲＳＳＩを導出する自セルＲＳＳＩ導出部と
をさらに備え、
前記推定値導出部は、前記自セルＲＳＳＩ及び前記自セルＲＳＲＰに基づいて、前記一のセルにおけるＰＲＢの使用率の推定値を導出する、請求項１に記載の推定装置。
【請求項４】
前記測定結果取得部は、前記自セルＲＳＲＰ、前記ＲＳＲＱ及び前記他セルＲＳＲＰを測定する測定器によって測定された測定結果を取得する、請求項１から３のいずれか一項に記載の推定装置。
【請求項５】
ＬＴＥシステムの一のセル内において測定された、前記一のセルから受信した参照信号の受信強度を示す自セルＲＳＲＰと、前記一のセル以外の他のセルから受信した参照信号の受信強度を示す他セルＲＳＲＰと、前記一のセル及び前記他のセルからの受信信号強度の合計を示す自他セルＲＳＳＩとを取得する測定結果取得部と、
前記自セルＲＳＲＰ、前記他セルＲＳＲＰ及び前記自他セルＲＳＳＩに基づいて、前記一のセルにおけるＰＲＢの使用率と、前記一のセル及び前記他のセルにおけるＰＲＢの平均使用率との少なくともいずれかの推定値を導出する推定値導出部と
を備える推定装置。
【請求項６】
前記自セルＲＳＲＰ、前記他セルＲＳＲＰ及び前記自他セルＲＳＳＩに基づいて、前記一のセル内の測定地点におけるトラフィック信号の受信信号強度の合計を示すトラフィックＲＳＳＩを導出するトラフィックＲＳＳＩ導出部
をさらに備え、
前記推定値導出部は、前記自セルＲＳＲＰ、前記他セルＲＳＲＰ及び前記トラフィックＲＳＳＩに基づいて、前記一のセル及び前記他のセルにおけるＰＲＢの平均使用率の推定値を導出する、請求項５に記載の推定装置。
【請求項７】
前記測定結果取得部は、前記一のセル内において測定されたＳＩＮＲをさらに取得し、
前記推定装置は、
前記自セルＲＳＲＰ及び前記ＳＩＮＲに基づいて、前記他のセルからの受信信号強度の合計を示す他セルＲＳＳＩを導出する他セルＲＳＳＩ導出部と
前記自他セルＲＳＳＩ及び前記他セルＲＳＳＩに基づいて、前記一のセルからの受信信号強度の合計を示す自セルＲＳＳＩを導出する自セルＲＳＳＩ導出部と
をさらに備え、
前記推定値導出部は、前記自セルＲＳＳＩ及び前記自セルＲＳＲＰに基づいて、前記一のセルにおけるＰＲＢの使用率の推定値を導出する、請求項５に記載の推定装置。
【請求項８】
前記測定結果取得部は、前記自セルＲＳＲＰ、前記他セルＲＳＲＰ及び前記自他セルＲＳＳＩを測定する測定器によって測定された測定結果を取得する、請求項５から７のいずれか一項に記載の推定装置。
【請求項９】
コンピュータを、請求項１から８のいずれか一項に記載の推定装置として機能させるためのプログラム。
【発明の詳細な説明】
【技術分野】
【０００１】
本発明は、推定装置及びプログラムに関する。
【背景技術】
【０００２】
従来、無線通信システムの負荷の測定を、ネットワークでの通信をモニタリングして行うことが知られていた（非特許文献１参照）。
［先行技術文献］
［非特許文献］
［非特許文献１］ＥＴＳＩ  ＴＳ  １３６  ３００  Ｖ９．１０．０（２０１３−０２）
【発明の概要】
【発明が解決しようとする課題】
【０００３】
ネットワークの通信をモニタリングすることなく、無線通信システムの負荷を測定できることが望ましい。
【課題を解決するための手段】
【０００４】
本発明の第１の態様によれば、ＬＴＥシステムの一のセル内において測定された、一のセルから受信した参照信号の受信強度を示す自セルＲＳＲＰと、参照信号の受信品質を示すＲＳＲＱと、一のセル以外の他のセルから受信した参照信号の受信強度を示す他セルＲＳＲＰとを取得する測定結果取得部と、自セルＲＳＲＰ、ＲＳＲＱ及び他セルＲＳＲＰに基づいて、一のセルにおけるＰＲＢの使用率と、一のセル及び他のセルにおけるＰＲＢの平均使用率との少なくともいずれかの推定値を導出する推定値導出部とを備える推定装置が提供される。
【０００５】
上記推定装置は、ＲＳＲＱに基づいて、一のセル及び他のセルからの受信信号強度の合計を示す自他セルＲＳＳＩを導出する自他セルＲＳＳＩ導出部と、自セルＲＳＲＰ、他セルＲＳＲＰ及び自他セルＲＳＳＩに基づいて、一のセル内の測定地点におけるトラフィック信号の受信信号強度の合計を示すトラフィックＲＳＳＩを導出するトラフィックＲＳＳＩ導出部とをさらに備えてよく、推定値導出部は、自セルＲＳＲＰ、他セルＲＳＲＰ及びトラフィックＲＳＳＩに基づいて、一のセル及び他のセルにおけるＰＲＢの平均使用率の推定値を導出してよい。上記推定装置において、測定結果取得部は、一のセル内において測定されたＳＩＮＲをさらに取得してよく、上記推定装置は、ＲＳＲＱに基づいて、一のセル及び他のセルからの受信信号強度の合計を示す自他セルＲＳＳＩを導出する自他セルＲＳＳＩ導出部と、自セルＲＳＲＰ及びＳＩＮＲに基づいて、他のセルからの受信信号強度の合計を示す他セルＲＳＳＩを導出する他セルＲＳＳＩ導出部と自他セルＲＳＳＩ及び他セルＲＳＳＩに基づいて、一のセルからの受信信号強度の合計を示す自セルＲＳＳＩを導出する自セルＲＳＳＩ導出部とをさらに備えてよく、推定値導出部は、自セルＲＳＳＩ及び自セルＲＳＲＰに基づいて、一のセルにおけるＰＲＢの使用率の推定値を導出してよい。上記推定装置において、測定結果取得部は、自セルＲＳＲＰ、ＲＳＲＱ及び他セルＲＳＲＰを測定する測定器によって測定された測定結果を取得してよい。
【０００６】
本発明の第２の態様によれば、ＬＴＥシステムの一のセル内において測定された、一のセルから受信した参照信号の受信強度を示す自セルＲＳＲＰと、一のセル以外の他のセルから受信した参照信号の受信強度を示す他セルＲＳＲＰと、一のセル及び他のセルからの受信信号強度の合計を示す自他セルＲＳＳＩとを取得する測定結果取得部と、自セルＲＳＲＰ、他セルＲＳＲＰ及び自他セルＲＳＳＩに基づいて、一のセルにおけるＰＲＢの使用率と、一のセル及び他のセルにおけるＰＲＢの平均使用率との少なくともいずれかの推定値を導出する推定値導出部とを備える推定装置が提供される。
【０００７】
上記推定装置は、自セルＲＳＲＰ、他セルＲＳＲＰ及び自他セルＲＳＳＩに基づいて、一のセル内の測定地点におけるトラフィック信号の受信信号強度の合計を示すトラフィックＲＳＳＩを導出するトラフィックＲＳＳＩ導出部をさらに備えてよく、推定値導出部は、自セルＲＳＲＰ、他セルＲＳＲＰ及びトラフィックＲＳＳＩに基づいて、一のセル及び他のセルにおけるＰＲＢの平均使用率の推定値を導出してよい。上記推定装置において、測定結果取得部は、一のセル内において測定されたＳＩＮＲをさらに取得してよく、上記推定装置は、自セルＲＳＲＰ及びＳＩＮＲに基づいて、他のセルからの受信信号強度の合計を示す他セルＲＳＳＩを導出する他セルＲＳＳＩ導出部と、自他セルＲＳＳＩ及び他セルＲＳＳＩに基づいて、一のセルからの受信信号強度の合計を示す自セルＲＳＳＩを導出する自セルＲＳＳＩ導出部とをさらに備えてよく、推定値導出部は、自セルＲＳＳＩ及び自セルＲＳＲＰに基づいて、一のセルにおけるＰＲＢの使用率の推定値を導出してよい。上記推定装置において、測定結果取得部は、自セルＲＳＲＰ、他セルＲＳＲＰ及び自他セルＲＳＳＩを測定する測定器によって測定された測定結果を取得してよい。
【０００８】
本発明の第３の態様によれば、コンピュータを、上記推定装置として機能させるためのプログラムが提供される。
【０００９】
なお、上記の発明の概要は、本発明の必要な特徴の全てを列挙したものではない。また、これらの特徴群のサブコンビネーションもまた、発明となりうる。
【図面の簡単な説明】
【００１０】
【図１】ＬＴＥシステムによるＬＴＥセル構成の一例を概略的に示す。
【図２】測定器の機能構成の一例を概略的に示す。
【図３】セルが送信する参照信号のＲＳ配置の一例を示す
【図４】ＲＳ配置のパターンを概略的に示す。
【図５】セルが送信する参照信号のＲＳ配置の他の一例を概略的に示す。
【図６】推定装置の機能構成の一例を概略的に示す。
【図７】推定装置の機能構成の他の一例を概略的に示す。
【図８】測定結果の一例を概略的に示す。
【発明を実施するための形態】
【００１１】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１２】
図１は、ＬＴＥ（Ｌｏｎｇ  Ｔｅｒｍ  Ｅｖｏｌｕｔｉｏｎ）システム１０によるＬＴＥセル構成の一例を概略的に示す。ＬＴＥシステム１０は、ＦＤＤ−ＬＴＥ（Ｆｒｅｑｕｅｎｃｙ  Ｄｉｖｉｓｉｏｎ  Ｄｕｐｌｅｘ  ＬＴＥ）システムであってよい。また、ＬＴＥシステム１０は、ＴＤ−ＬＴＥ（Ｔｉｍｅ  Ｄｉｖｉｓｉｏｎ  ＬＴＥ）システムであってもよい。
【００１３】
ＬＴＥシステム１０は、複数のｅＮＢ（ｅＮｏｄｅＢ）を有する。図１では、ＬＴＥシステム１０が有する複数のｅＮＢの一例として、ｅＮＢ２０、ｅＮＢ３０及びｅＮＢ４０を図示している。ｅＮＢ２０は、セル２２を形成する。ｅＮＢ３０はセル３２を形成する。ｅＮＢ４０はセル４２を形成する。
【００１４】
測定器１００は、信号受信強度等を測定する。測定器１００は、例えば、ＲＳＲＰ（Ｒｅｆｅｒｅｎｃｅ  Ｓｉｇｎａｌ  Ｒｅｃｅｉｖｅｄ  Ｐｏｗｅｒ）を測定する。測定器１００は、複数のセルのそれぞれから受信した参照信号のそれぞれのＲＳＲＰを測定してよい。セルから受信した参照信号とは、当該セルを形成するｅＮＢから受信した参照信号であってよい。
【００１５】
複数のセルのうち、測定器１００が受信した参照信号のＲＳＲＰが最も強いセルを自セルと呼ぶ場合があり、自セル以外のセルを他セルと呼ぶ場合がある。図１は、セル２２が自セルであり、セル３２及びセル４２が他セルである場合を例示している。図１では、２つの他セルを例示しているが、他セルの数はこれに限らない。セル２２は、一のセルの一例であってよい。セル２２から受信した参照信号のＲＳＲＰは、自セルＲＳＲＰの一例であってよい。セル３２及びセル４２は、他のセルの一例であってよい。セル３２及びセル４２のそれぞれから受信した参照信号のＲＳＲＰは、他セルＲＳＲＰの一例であってよい。
【００１６】
測定器１００は、セル２２から受信した参照信号の受信品質を示すＲＳＲＱ（Ｒｅｆｅｒｅｎｃｅ  Ｓｉｇｎａｌ  Ｒｅｃｅｉｖｅｄ  Ｑｕａｌｉｔｙ）を測定してよい。自セルであるセル２２から受信した参照信号の受信品質を示すＲＳＲＱを自セルＲＳＲＱと呼ぶ場合がある。また、測定器１００は、受信信号強度の合計を示すＲＳＳＩ（Ｒｅｃｅｉｖｅｄ  Ｓｉｇｎａｌ  Ｓｔｒｅｎｇｔｈ  Ｉｎｄｉｃａｔｏｒ）を測定してよい。ＲＳＳＩは、帯域全体に対する総受信信号強度を示す。例えば、５ＭＨｚの帯域幅を利用するＬＴＥにおいて、ＲＳＳＩは２５ＰＲＢ（Ｐｈｙｓｉｃａｌ  Ｒｅｓｏｕｒｃｅ  Ｂｌｏｃｋ）分の総受信信号強度を示す。また、１０ＭＨｚの帯域幅を利用するＬＴＥにおいて、ＲＳＳＩは５０ＰＲＢ分の送受信信号強度を示し、２０ＭＨｚの帯域幅を利用するＬＴＥにおいては１００ＰＲＢ分の送受信信号強度を示す。また、測定器１００は、セル２２から受信した参照信号に対するノイズの比率を示すＳＩＮＲ（Ｓｉｇｎａｌ−ｔｏ−Ｉｎｔｅｒｆｅｒｅｎｃｅ  ａｎｄ  Ｎｏｉｓｅ  ｐｏｗｅｒ  Ｒａｔｉｏ）を測定してよい。
【００１７】
測定器１００は、ＬＴＥシステムにおいて、ＲＳＲＰ、ＲＳＲＱ、ＲＳＳＩ及びＳＩＮＲ等を測定可能な汎用の測定器であってよい。測定器１００は、例えば、Ｓｃａｎｎｅｒである。また、測定器１００は、例えば、エリアテスタ（登録商標）である。
【００１８】
推定装置２００は、測定器１００が測定したデータに基づいて、セル２２におけるＰＲＢ（Ｐｈｙｓｉｃａｌ  Ｒｅｓｏｕｒｃｅ  Ｂｌｏｃｋ）の使用率の推定値を導出してよい。また、推定装置２００は、測定器１００が受信している電波の送信元である複数のｅＮＢのそれぞれが形成する複数のセルにおけるＰＲＢの平均使用率の推定値を導出してよい。推定装置２００は、例えば、セル２２、セル３２及びセル４２におけるＰＲＢの平均使用率の推定値を導出する。
【００１９】
従来、ＬＴＥシステム１０が有する不図示のネットワーク及びＯＳＳ（Ｏｐｅｒａｔｉｏｎ  Ｓｕｐｐｏｒｔ  Ｓｙｓｔｅｍ）等をモニタリングしてＰＲＢ使用率を測定することにより、ＬＴＥシステム１０の負荷状況が分析されていた。例えば、監視装置が、ＬＴＥシステム１０が有するネットワークに含まれるｅＮＢ、ＭＭＥ（Ｍｏｂｉｌｉｔｙ  Ｍａｎａｇｅｍｅｎｔ  Ｅｎｔｉｔｙ）及びＳ−ＧＷ等をモニタリングすることによって、ＬＴＥシステム１０の負荷状況が分析されていた。しかし、ネットワーク及びＯＳＳ等をモニタリングできるのは、ＬＴＥシステム１０を提供する通信事業者に限られる場合があった。したがって、従来は、一の通信事業者が、自らが提供するＬＴＥシステム１０におけるＰＲＢ使用率の測定をすることができても、他の通信事業者が提供するＬＴＥシステム１０におけるＰＲＢ使用率を測定することが難しい場合があった。また、通信事業者以外の者が、ＬＴＥシステム１０におけるＰＲＢ使用率を測定することが難しい場合があった。また、ＰＲＢ使用率を測定するのに、ネットワーク及びＯＳＳ等をモニタリングする必要があることから、ネットワーク機器に負荷がかかったり、人的な負荷がかかったりしてしまう場合もあった。
【００２０】
これに対して、本実施形態に係る推定装置２００によれば、測定器１００が測定したデータに基づいてＬＴＥシステム１０におけるＰＲＢ使用率の推定値を導出できるので、一の通信事業者による他の通信事業者が提供するＬＴＥシステム１０の負荷状況の分析及び通信事業者以外の者によるＬＴＥシステム１０の負荷状況の分析を実現できる。また、本実施形態に係る推定装置２００によれば、ネットワーク及びＯＳＳ等をモニタリングする必要がないことから、ネットワーク機器に負荷をかけることなく、迅速にＬＴＥシステム１０の負荷状況を分析することができる。
【００２１】
図２は、測定器１００の機能構成の一例を概略的に示す。測定器１００は、測定指示受付部１０２、測定制御部１１０、ＲＳＲＰ測定部１１２、ＲＳＲＱ測定部１１４、ＲＳＳＩ測定部１１６、ＳＩＮＲ測定部１１８及び測定結果出力部１２０を備える。なお、測定器１００がこれらのすべての構成を備えることは必須とは限らない。
【００２２】
測定指示受付部１０２は、測定指示を受け付ける。測定指示受付部１０２は、ボタン及びタッチパネル等のインターフェースを介して、定指示を受け付けてよい。また、測定指示受付部１０２は、ネットワークを介して測定指示を受信してもよい。
【００２３】
測定制御部１１０は、ＲＳＲＰ等の測定を制御する。測定制御部１１０は、測定指示受付部１０２による測定指示の受け付けに応じて、ＲＳＲＰ等の測定を制御してよい。
【００２４】
ＲＳＲＰ測定部１１２は、ＲＳＲＰを測定する。ＲＳＲＰ測定部１１２は、セル２２から受信した参照信号のＲＳＲＰを測定してよい。セル２２から受信した参照信号のＲＳＲＰは自セルＲＳＲＰの一例であってよい。自セルＲＳＲＰは、セル２２から受信した複数の参照信号の平均受信信号強度であってよい。また、ＲＳＲＰ測定部１１２は、セル３２及びセル４２のそれぞれから受信した参照信号のそれぞれのＲＳＲＰを測定してよい。セル３２及びセル４２のそれぞれから受信した参照信号のそれぞれのＲＳＲＰは、他セルＲＳＲＰの一例であってよい。セル３２に対応する他セルＲＳＲＰは、セル３２から受信した複数の参照信号の平均受信信号強度であってよい。また、セル４２に対応する他セルＲＳＲＰは、セル４２から受信した複数の参照信号の平均受信信号強度であってよい。
【００２５】
ＲＳＲＱ測定部１１４は、ＲＳＲＱを測定する。ＲＳＲＱ測定部１１４は、セル２２から受信した参照信号の受信品質を示す自セルＲＳＲＱを測定してよい。
【００２６】
ＲＳＳＩ測定部１１６は、ＲＳＳＩを測定する。ＲＳＳＩ測定部１１６は、測定器１００が受信する信号の受信信号強度の合計を示すＲＳＳＩを測定する。例えば、測定器１００が、セル２２、セル３２及びセル４２によって送信される信号を受信する場合、ＲＳＳＩ測定部１１６が測定するＲＳＳＩは、セル２２、セル３２及びセル４２からの受信信号強度と、ノイズの受信強度との合計を示す。より具体的には、ＲＳＳＩ測定部１１６が測定するＲＳＳＩには、セル２２、セル３２及びセル４２のそれぞれから受信した参照信号のＲＳＲＰと、セル２２、セル３２及びセル４２から受信したトラフィック信号の受信信号強度と、ノイズの受信強度とが含まれる。トラフィック信号とは、セル２２、セル３２及びセル４２によって送信されるデータ信号であってよい。
【００２７】
ＳＩＮＲ測定部１１８は、ＳＩＮＲを測定する。ＳＩＮＲ測定部１１８は、セル２２から受信した参照信号に対するＳＩＮＲを測定してよい。セル２２から受信した参照信号に対するＳＩＮＲは、セル２２から受信した参照信号のＲＳＲＰと、他セルからの受信信号強度の合計との割合であってよい。
【００２８】
測定結果出力部１２０は、測定結果を出力する。測定結果出力部１２０は、測定器１００が備える不図示のディスプレイに測定結果を表示出力してよい。また、測定結果出力部１２０は、他の装置が備えるディスプレイに測定結果を表示出力してもよい。例えば、測定結果出力部１２０は、推定装置２００が備えるディスプレイに測定結果を表示出力する。また、測定結果出力部１２０は、測定結果を送信出力してもよい。例えば、測定結果出力部１２０は、測定結果を推定装置２００に対して送信してよい。
【００２９】
図３は、セル２２が送信する参照信号のＲＳ配置の一例を概略的に示す。図３は、アンテナポート数が１である場合の、１ＰＲＢのＲＳ配置の例を示す。１ＰＲＢは、周波数方向に１２のサブキャリアを含み、時間方向に１サブフレームを含む。１サブフレームは２スロットを含み、１スロットは６シンボルを含む。
【００３０】
ＲＥ（リソースエレメント）は、１サブキャリア及び１シンボルによって定義される。ＲＥは、トラフィック信号の送信に用いられる。ＲＳ（参照信号）は、チャンネル推定等に使用される信号であり、ＰＲＢ中の予め定められた位置に配置される。図３に示す通り、アンテナポート数が１である場合の１シンボルにおける参照信号の数は２であり、トラフィック信号の数は０から１０である。
【００３１】
ＲＳは、予め定められた規則に従って配置されてよい。規則の一例として、ＲＳは１シンボルに２つ配置される。また、ＲＳは同一シンボル内で６サブキャリア毎に配置される。アンテナポート数が１である場合、ＲＳは、シンボル０及びシンボル４に配置される。シンボル０とシンボル４とでは、ＲＳの位置が３サブキャリアシフトされる。
【００３２】
図４は、ＲＳ配置のパターンを概略的に示す。図４に示すように、ＲＳ配置は６種類のパターンを含んでよい。ｅＮＢ２０、ｅＮＢ３０及びｅＮＢ４０は、割り当てられたＰＣＩ（Ｐｈｙｓｉｃａｌ  Ｌａｙｅｒ  Ｃｅｌｌ  Ｉｄｅｎｔｉｔｙ）に従って、使用するＲＳ配置のパターンを選択してよい。ｅＮＢ２０、ｅＮＢ３０及びｅＮＢ４０は、ＰＣＩ  ｍｏｄ  ６によって６種類のパターンから一のパターンを選択する。ｅＮＢ２０、ｅＮＢ３０及びｅＮＢ４０は、アンテナポート数が２の場合、１つ目のアンテナポートのパターンをＰＣＩ  ｍｏｄ  ６によって選択してよく、２つ目のアンテナポートのパターンをＰＣＩ＋３  ｍｏｄ  ６によって選択してよい。ｅＮＢ２０、ｅＮＢ３０及びｅＮＢ４０がＰＣＩに従ってＲＳ配置のパターンを選択することにより、推定装置２００は、ｅＮＢ２０、ｅＮＢ３０及びｅＮＢ４０のＰＣＩを取得することによって、ｅＮＢ２０、ｅＮＢ３０及びｅＮＢ４０のそれぞれがいずれのパターンを使用しているかを把握することができる。
【００３３】
図５は、セル２２が送信する参照信号のＲＳ配置の他の一例を示す。図５は、アンテナポート数が２である場合の、１ＰＲＢのＲＳ配置の例を示す。ＲＥは、トラフィック信号の送信に用いられる。ＲＳは、チャンネル推定等に使用される信号であり、ＰＲＢ中の予め定められた位置に配置される。無送信は、トラフィック信号の伝送に用いられない。アンテナポート数が複数ある場合、アンテナ毎に異なるＲＳ配置が採用される。
【００３４】
図５に示す通り、アンテナポート数が２である場合の１シンボルにおける参照信号の数は４であり、トラフィック信号の数は０から１６である。このように、アンテナポート数によって、１シンボルにおけるトラフィック信号の数は異なる。例えば、アンテナポート数が４である場合、１シンボルにおけるトラフィック信号の数は、０から３２となる。アンテナポート数が他の数であっても、同様にして１シンボルにおけるトラフィック信号の数を特定することができる。
【００３５】
アンテナポート数が２である場合、シンボル０における帯域全体におけるトータルのパワーは、下記の数式１によって表される。
【００３６】
【数１】
2015204520.tif 000003
【００３７】
ＲＳＰｏｗｅｒは一の参照信号の信号強度を示す。ＲＥＰｏｗｅｒは一のトラフィック信号の信号強度を示す。Ｎは帯域全体のＰＲＢ数を示す。数式１によって示されるように、アンテナポート数が２である場合の、トラフィック信号の総受信信号強度の最低値は０、最大値は１６ＮＲＥＰｏｗｅｒとなる。なお、アンテナポート数が１の場合には、トラフィック信号の総受信信号強度の最低値が０、最大値が１０ＮＲＥＰｏｗｅｒとなり、アンテナポート数が４の場合には、トラフィック信号の総受信信号強度の最低値が０、最大値が３２ＮＲＥＰｏｗｅｒとなる。アンテナポート数が他の数である場合も同様に算出できる。
【００３８】
ＲＳＰｏｗｅｒとＲＥＰｏｗｅｒとの比率は、アンテナポート数とＲＳ  ｂｏｏｓｔをしているか否かに依存する。また、ＲＳ  ｂｏｏｓｔしている場合には、ＲＳ  ｂｏｏｓｔの比率に依存する。例えば、アンテナポート数が１でＲＳ  ｂｏｏｓｔをしていない場合、ＲＥＰｏｗｅｒとＲＳＰｏｗｅｒとは等しい。また例えば、アンテナポート数が２でＲＳ  ｂｏｏｓｔをしていない場合、ＲＳＰｏｗｅｒは、ＲＥＰｏｗｅｒの０．８倍になる。また、例えば、アンテナポート数が２でＲＳ  ｂｏｏｓｔが３ｄＢである場合、ＲＳＰｏｗｅｒは、ＲＥＰｏｗｅｒの２倍になる。ここで、アンテナポート数が２であり、かつ、ＲＳ  ｂｏｏｓｔが３ｄＢである場合において、ＲＥＰｏｗｅｒをｘとすると、トラフィック信号の総受信信号強度とＲＳＰｏｗｅｒとの比率は、１６Ｎｘ／２ｘ＝８Ｎとなる。
【００３９】
自セルと他セルとの間でフレームが同期されている場合、自セル及び他セルにおいて、１シンボルにおける参照信号の数及びトラフィック信号の数は等しくなる。したがって、アンテナポート数が２であり、ＲＳ  ｂｏｏｓｔが３ｄＢであり、かつ、自セルと他セルとの間でフレームが同期されている場合、帯域全体におけるトラフィック信号の総受信信号強度（トラフィックＲＳＳＩと呼ぶ場合がある）の最大値と、自セル及び他セルの参照信号の平均受信信号強度の和（自他セルＲＳＲＰと呼ぶ場合がある）との比率は、下記の数式２によって表される。トラフィックＲＳＳＩの最低値と自他ＲＳＲＰとの比率は０となる。
【００４０】
【数２】
2015204520.tif 000004
【００４１】
同様に、アンテナポート数が１である場合には、トラフィックＲＳＳＩの最大値と自他セルＲＳＲＰとの比率は４Ｎとなり、アンテナポート数が４である場合には２０Ｎとなる。アンテナポート数が他の数であっても同様に算出できる。
【００４２】
また、ＲＳ  ｂｏｏｓｔをしていない場合、トラフィックＲＳＳＩの最大値と自他セルＲＳＲＰとの比率は１６Ｎとなる。
【００４３】
また、アンテナポート数が１であり、かつ、ＲＳ  ｂｏｏｓｔをしていない場合、トラフィックＲＳＳＩの最大値と自他セルＲＳＲＰとの比率は１０Ｎとなる。また、アンテナポート数が４であり、かつ、ＲＳ  ｂｏｏｓｔをしていない場合、トラフィックＲＳＳＩの最大値と自他セルＲＳＲＰとの比率は４４Ｎである。
【００４４】
本実施形態に係る推定装置２００は、ＰＲＢの使用率の推定値を、トラフィックＲＳＳＩに対する自他セルＲＳＲＰの割合として算出してよい。上述したように、アンテナポート数が２であり、ＲＳ  ｂｏｏｓｔが３ｄＢである場合、トラフィックＲＳＳＩに対する自他セルＲＳＲＰの割合の最低値が０、最大値が８Ｎとなることから、推定装置２００は、ＰＲＢの使用率の推定値を、下記の数式３によって算出する。
【００４５】
【数３】
2015204520.tif 000005
【００４６】
アンテナポート数が２以外の数である場合、及びＲＳ  ｂｏｏｓｔが３ｄＢ以外である場合であっても、推定装置２００は、数式３の８Ｎを変更することによって、同様に推定値を算出できる。
【００４７】
なお、ここでは、自セルと他セルのフレームが同期されている場合について主に説明したが、推定装置２００は、自セルと他セルのフレームが同期されていない場合についても、一部の演算内容を変更することによって、推定値を算出できる。
【００４８】
自セルと他セルのフレームが同期されていない場合、自セルにおけるシンボル０と、他セルにおけるシンボル０とは時間的にずれる場合がある。この場合、例えば、アンテナポート数が２である場合において、トラフィックＲＳＳＩの最大値は１６ＮＲＥＰｏｗｅｒとならない。そこで、推定装置２００は、自セルと他セルのフレームが同期されていない場合においては、複数のＰＲＢのそれぞれについて参照信号を受信しているか否かに応じて、トラフィックＲＳＳＩの最大値を判定してよい。例えば、アンテナポート数が２である場合において、推定装置２００は、参照信号を受信したＰＲＢの数をＮ１、参照信号を受信していないＰＲＢの数をＮ２として、トラフィックＲＳＳＩの最大値を、１６Ｎ１ＲＥＰｏｗｅｒ＋２４Ｎ２ＲＥＰｏｗｅｒと判定する。そして、推定装置２００は、トラフィックＲＳＳＩを、１６Ｎ１ＲＥＰｏｗｅｒ＋２４Ｎ２ＲＥＰｏｗｅｒで除算することによって、推定値を算出してよい。
【００４９】
図６は、推定装置２００の機能構成の一例を概略的に示す。推定装置２００は、推定値導出指示受付部２０２、測定結果取得部２０４、ＲＳＲＰ取得部２１２、ＲＳＲＱ取得部２１６、ＳＩＮＲ取得部２２０、自他セルＲＳＳＩ導出部２２４、トラフィックＲＳＳＩ導出部２３０、他セルＲＳＳＩ導出部２４０、自セルＲＳＳＩ導出部２４２、推定値導出部２５０及び推定値出力部２６０を備える。推定装置２００がこれらのすべての構成を備えることは必須とは限らない。
【００５０】
推定値導出指示受付部２０２は、セル２２におけるＰＲＢの使用率と、セル２２、セル３２およびセル４２におけるＰＲＢの平均使用率との少なくともいずれかの推定値の導出指示を受け付ける。推定値導出指示受付部２０２は、ボタン及びタッチパネル等のインターフェースを介して、導出指示を受け付けてよい。また、推定値導出指示受付部２０２は、ネットワークを介して導出指示を受信してもよい。
【００５１】
測定結果取得部２０４は、測定器１００によって測定された測定結果を取得する。測定結果取得部２０４は、測定器１００から測定結果を受信してよい。また、測定結果取得部２０４は、測定器１００によって測定された測定結果を格納する格納装置から、測定結果を受信してもよい。
【００５２】
ＲＳＲＰ取得部２１２は、測定結果取得部２０４が取得した測定結果に含まれるＲＳＲＰを取得する。ＲＳＲＰ取得部２１２は、自セルＲＳＲＰを取得してよい。また、ＲＳＲＰ取得部２１２は、他セルＲＳＲＰを取得してよい。ＲＳＲＱ取得部２１６は、測定結果取得部２０４が取得した測定結果に含まれる自セルＲＳＲＱを取得する。ＳＩＮＲ取得部２２０は、測定結果取得部２０４が測定した測定結果に含まれるＳＩＮＲを取得する。
【００５３】
自他セルＲＳＳＩ導出部２２４は、セル２２、セル３２及びセル４２からの受信信号強度の合計を示す自他セルＲＳＳＩを導出する。自他セルＲＳＳＩは、帯域全体におけるセル２２、セル３２及びセル４２からの総受信信号強度を示す。自他セルＲＳＳＩ導出部２２４は、ＲＳＲＱ取得部２１６が取得した自セルＲＳＲＱと、ＲＳＲＰ取得部２１２が取得した自セルＲＳＲＰとに基づいて、セル２２、セル３２及びセル４２からの受信信号強度の合計を示す自他セルＲＳＳＩを導出する。自他セルＲＳＳＩ導出部２２４は、例えば、下記の数式４によって、自他セルＲＳＳＩを算出する。
【００５４】
【数４】
2015204520.tif 000006
【００５５】
自他セルＲＳＳＩ導出部２２４は、自セルＲＳＲＰ及びＲＳＲＱの組み合わせと、自他セルＲＳＳＩとを対応付けた対応付けデータを参照することによって、自他セルＲＳＳＩを導出してもよい。
【００５６】
トラフィックＲＳＳＩ導出部２３０は、セル２２内の測定器１００による測定地点におけるトラフィック信号の受信信号強度の合計を示すトラフィックＲＳＳＩを導出する。トラフィックＲＳＳＩ導出部２３０は、ＲＳＲＰ取得部２１２が取得した自セルＲＳＲＰ及び他セルＲＳＲＰと、自他セルＲＳＳＩ導出部２２４が導出した自他セルＲＳＳＩとに基づいて、トラフィックＲＳＳＩを導出してよい。
【００５７】
例えば、トラフィックＲＳＳＩ導出部２３０は、自他セルＲＳＳＩから、帯域全体における自セルＲＳＲＰ及び他セルＲＳＲＰを減算することによって、トラフィックＲＳＳＩを算出する。また、トラフィックＲＳＳＩ導出部２３０は、自他セルＲＳＳＩと、自セルＲＳＲＰ及び他セルＲＳＲＰとの組み合わせと、トラフィックＲＳＳＩとを対応付けた対応付けデータを参照することによって、トラフィックＲＳＳＩを特定してもよい。
【００５８】
トラフィックＲＳＳＩ導出部２３０は、自セルＲＳＲＰ、他セルＲＳＲＰ及び自他セルＲＳＳＩと、ノイズの受信強度とに基づいて、トラフィックＲＳＳＩを導出してもよい。例えば、トラフィックＲＳＳＩ導出部２３０は、自他セルＲＳＳＩから、帯域全体における自セルＲＳＲＰ、他セルＲＳＲＰ及びノイズの受信強度を減算することによって、トラフィックＲＳＳＩを算出する。これにより、ノイズの影響を考慮したトラフィックＲＳＳＩを算出できる。
【００５９】
他セルＲＳＳＩ導出部２４０は、他セルであるセル３２及びセル４２からの受信信号強度の合計を示す他セルＲＳＳＩを導出する。他セルＲＳＳＩ導出部２４０は、ＲＳＲＰ取得部２１２が取得した自セルＲＳＲＰ及び他セルＲＳＲＰと、ＳＩＮＲ取得部２２０が取得したＳＩＮＲとに基づいて他セルＲＳＳＩを導出してよい。例えば、アンテナポート数が２であり、ＲＳ  ｂｏｏｓｔが３ｄＢであり、自セルと他セルとの間でフレーム同期がされており、かつ、自セルと他セルとで異なるＲＳ配置のパターンを用いている場合、他セルＲＳＳＩ導出部２４０は、下記の数式５によって、他セルＲＳＳＩを算出する。
【００６０】
【数５】
2015204520.tif 000007
【００６１】
総他セルＲＳＲＰは、複数の他セルの他セルＲＳＲＰの合計である。他セルＲＳＳＩ導出部２４０は、アンテナポート数が他の数である場合についても、同様に他セルＲＳＳＩを算出できる。例えば、他セルＲＳＳＩ導出部２４０は、アンテナポート数が１である場合には、８Ｎに代えて１０Ｎを自セルＲＳＲＰ / ＳＩＮＲに乗じて、４Ｎに代えて２Ｎを総他セル平均ＲＳＲＰに乗じてよい。
【００６２】
また、他セルＲＳＳＩ導出部２４０は、自セルと他セルとの間でフレーム同期がされていない場合には、参照信号を受信したＰＲＢの数と、参照信号を受信していないＰＲＢの数とに基づいて、他セルＲＳＳＩを算出することができる。
【００６３】
また、他セルＲＳＳＩ導出部２４０は、自セルＲＳＲＰ、他セルＲＳＲＰ及びＳＩＮＲの組み合わせと、他セルＲＳＳＩとを対応付けた対応付けデータを参照することによって、他セルＲＳＳＩを特定してもよい。
【００６４】
自セルＲＳＳＩ導出部２４２は、セル２２からの受信信号強度の合計を示す自セルＲＳＳＩを導出する。自セルＲＳＳＩ導出部２４２は、自他セルＲＳＳＩ導出部２２４が導出した自他セルＲＳＳＩ及び他セルＲＳＳＩ導出部２４０が導出した他セルＲＳＳＩに基づいて、自セルＲＳＳＩを導出してよい。例えば、自セルＲＳＳＩ導出部２４２は、自他セルＲＳＳＩから他セルＲＳＳＩを減算することによって、自セルＲＳＳＩを算出する。
【００６５】
また、自セルＲＳＳＩ導出部２４２は、自他セルＲＳＳＩ及び他セルＲＳＳＩと、自セルＲＳＳＩとを対応付けた対応付けデータを参照することによって、自セルＲＳＳＩを特定してもよい。
【００６６】
自セルＲＳＳＩ導出部２４２は、自他セルＲＳＳＩ、他セルＲＳＳＩ及びノイズの受信信号強度に基づいて、自セルＲＳＳＩを導出してもよい。例えば、自セルＲＳＳＩ導出部２４２は、自他セルＲＳＳＩから、他セルＲＳＳＩ及びノイズの受信信号強度を減算することによって、自セルＲＳＳＩを算出する。これにより、ノイズの影響を考慮した自セルＲＳＳＩを算出できる。
【００６７】
推定値導出部２５０は、セル２２におけるＰＲＢの使用率と、セル２２、セル３２及びセル４２におけるＰＲＢの平均使用率との少なくともいずれかの推定値を導出する。推定値導出部２５０は、ＲＳＲＰ取得部２１２が取得した自セルＲＳＲＰ及び他セルＲＳＲＰと、トラフィックＲＳＳＩ導出部２３０が導出したトラフィックＲＳＳＩとに基づいて、セル２２，セル３２及びセル４２におけるＰＲＢの平均使用率を導出してよい。例えば、アンテナポート数が２つであり、ＲＳ  ｂｏｏｓｔが３ｄＢであり、自セルと他セルとの間でフレームが同期されている場合、推定値導出部２５０は、自セルＲＳＲＰ及び他セルＲＳＲＰから自他セルＲＳＲＰを算出して、下記の数式６によって、ＰＲＢの平均使用率の推定値を算出する。
【００６８】
【数６】
2015204520.tif 000008
【００６９】
推定値導出部２５０は、アンテナポート数が１である場合には、８Ｎに代えて４Ｎで除算し、アンテナポート数が４である場合には、８Ｎに代えて１６Ｎで除算してよい。また、推定値導出部２５０は、ＲＳ  ｂｏｏｓｔをしていない場合、８Ｎに代えて２０Ｎで除算してよい。また、推定値導出部２５０は、アンテナポート数が４であり、かつ、ＲＳ  ｂｏｏｓｔをしていない場合、８Ｎに代えて４４Ｎで除算してよい。このように、推定値導出部２５０は、ＲＳ  ｂｏｏｓｔをしているかいないか及びＲＳ  ｂｏｏｓｔの比率と、アンテナポート数との条件に対応する数式を用いて、ＰＲＢの平均使用率の推定値を算出してよい。また、推定値導出部２５０は、自セルと他セルとの間でフレームが同期されていない場合には、参照信号を受信したＰＲＢの数と、参照信号を受信していないＰＲＢの数とに基づいて、数式６の８Ｎを変更することによって、平均使用率推定値を算出してよい。
【００７０】
また、推定値導出部２５０は、ＲＳＲＰ取得部２１２が取得した自セルＲＳＲＰと、自セルＲＳＳＩ導出部２４２が導出した自セルＲＳＳＩとに基づいて、セル２２におけるＰＲＢの使用率の推定値を導出してよい。例えば、アンテナポート数が２つであり、かつ、ＲＳ  ｂｏｏｓｔが３ｄＢである場合、推定値導出部２５０は、下記の数式７によって、セル２２におけるＰＲＢの使用率の推定値を算出する。
【００７１】
【数７】
2015204520.tif 000009
【００７２】
推定値導出部２５０は、アンテナポート数が１である場合には、４Ｎに代えて２Ｎを自セルＲＳＲＰに乗算し、８Ｎに代えて４Ｎを自セルＲＳＲＰに乗算してよい。また、推定値導出部２５０は、ＲＳ  ｂｏｏｓｔをしていない場合、８Ｎに代えて２０Ｎを自セルＲＳＲＰに乗算してよい。このように、推定値導出部２５０は、ＲＳ  ｂｏｏｓｔをしているかいないか及びＲＳ  ｂｏｏｓｔの比率と、アンテナポート数との条件に対応する数式を用いて、セル２２におけるＰＲＢの使用率推定値を算出してよい。
【００７３】
推定値出力部２６０は、推定値導出部２５０が導出した推定値を出力する。推定値出力部２６０は、推定装置２００が備えるディスプレイに、推定値導出部２５０が導出した推定値を表示してよい。また、推定値出力部２６０は、他の装置が備えるディスプレイに、推定値導出部２５０が導出した推定値を表示させてよい。
【００７４】
図７は、推定装置２００の機能構成の他の一例を概略的に示す。推定装置２００は、推定値導出指示受付部２０２、測定結果取得部２０４、ＲＳＲＰ取得部２１２、自他セルＲＳＳＩ取得部２１８，ＳＩＮＲ取得部２２０、トラフィックＲＳＳＩ導出部２３０、他セルＲＳＳＩ導出部２４０、自セルＲＳＳＩ導出部２４２、推定値導出部２５０及び推定値出力部２６０を備える。推定装置２００がこれらのすべての構成を備えることは必須とは限らない。ここでは、図４に示す推定装置２００と異なる点を主に説明する。
【００７５】
自他セルＲＳＳＩ取得部２１８は、自他セルＲＳＳＩを取得する。自他セルＲＳＳＩ取得部２１８は、測定結果取得部２０４が取得した測定結果に含まれる自他セルＲＳＳＩを取得してよい。
【００７６】
トラフィックＲＳＳＩ導出部２３０は、ＲＳＲＰ取得部２１２が取得した自セルＲＳＲＰ及び他セルＲＳＲＰと、自他セルＲＳＳＩ取得部２１８が取得した自他セルＲＳＳＩとに基づいて、トラフィックＲＳＳＩを導出してよい。また、自セルＲＳＳＩ導出部２４２は、自他セルＲＳＳＩ取得部２１８が取得した自他セルＲＳＳＩ及び他セルＲＳＳＩ導出部２４０が導出した他セルＲＳＳＩに基づいて、自セルＲＳＳＩを導出してよい。
【００７７】
図８は、測定器１００による測定結果１３０の一例を概略的に示す。図８に示す測定結果１３０は、測定器１００が測定した自セルＲＳＲＰと、上位５位までの他セルＲＳＲＰと、ＲＳＲＱとを含む。なお、ここでは、アンテナポート数が２であり、ＲＳ  ｂｏｏｓｔが３ｄＢであり、自セルと他セルとの間でフレーム同期が行われている場合について例を挙げて説明する。
【００７８】
推定装置２００は、測定器１００が測定した自セルＲＳＲＰと、上位５位までの他セルＲＳＲＰと、ＲＳＲＱとに基づいて、自セルを含む５つのセルにおけるＰＲＢの平均使用率の推定値を導出してよい。なお、推定装置２００は、測定結果１３０に含まれる任意の数の他セルＲＳＲＰを用いてよい。例えば、測定結果１３０が上位５位までの他セルＲＳＲＰを含む場合であっても、上位４位までの他セルＲＳＲＰ、自セルＲＳＲＰ及びＲＳＲＱを用いて、上位４位のセルにおけるＰＲＢの平均使用率の推定値を導出してよい。
【００７９】
ＲＳＲＰ取得部２１２は、測定結果１３０に含まれる自セルＲＳＲＰと、上位５位までの他セルＲＳＲＰとを取得する。トラフィックＲＳＳＩ導出部２３０は、下記の数式８に示すように、自セルＲＳＲＰのリニア値と他セルＲＳＲＰのリニア値とを加算して、自他セルＲＳＲＰを算出する。
【００８０】
【数８】
2015204520.tif 000010
【００８１】
自他セルＲＳＳＩ導出部２２４は、下記の数式９に示すように、自セルＲＳＲＰのリニア値をＲＳＲＱのリニア値で除算して、ＰＲＢ数Ｎを乗算することにより、自他セルＲＳＳＩを算出してよい。
【００８２】
【数９】
2015204520.tif 000011
【００８３】
トラフィックＲＳＳＩ導出部２３０は、下記の数式１０に示すように、数式９によって算出された自他セルＲＳＳＩのリニア値から、数式８によって算出された加算値に４Ｎを乗じた値のリニア値を減算することによって、トラフィックＲＳＳＩを算出してよい。
【００８４】
【数１０】
2015204520.tif 000012
【００８５】
推定値導出部２５０は、下記の数式１１に示すように、数式１０によって算出されたトラフィックＲＳＳＩのリニア値と、数式８によって算出された自他セルＲＳＲＰとに基づいて、ＰＲＢ使用率の推定値を算出してよい。
【００８６】
【数１１】
2015204520.tif 000013
【００８７】
上述したように、本実施形態に係る推定装置２００によれば、図８に示す測定結果１３０の一例に対して、自セル及びＲＳＲＰがトップ５までの他セルにおけるＰＲＢの平均使用率の推定値として６２．５％を算出できる。
【００８８】
以上の説明において、推定装置２００の各部は、ハードウエアにより実現されてもよく、ソフトウエアにより実現されてもよい。また、ハードウエアとソフトウエアとの組み合わせにより実現されてもよい。また、プログラムが実行されることにより、コンピュータが、推定装置２００として機能してもよい。プログラムは、コンピュータ読み取り可能な媒体又はネットワークに接続された記憶装置から、推定装置２００の少なくとも一部を構成するコンピュータにインストールされてよい。
【００８９】
コンピュータにインストールされ、コンピュータを本実施形態に係る推定装置２００として機能させるプログラムは、ＣＰＵ等に働きかけて、コンピュータを、推定装置２００の各部としてそれぞれ機能させる。これらのプログラムに記述された情報処理は、コンピュータに読込まれることにより、ソフトウエアと推定装置２００のハードウエア資源とが協働した具体的手段として機能する。
【００９０】
本実施形態では、測定器１００及び推定装置２００が別体である場合を例に挙げて説明したが、これに限らない。推定装置２００が、測定器１００の機能を備えてもよい。
【００９１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９２】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００９３】
１０  ＬＴＥシステム、２０  ｅＮＢ、２２  セル、３０  ｅＮＢ、３２  セル、４０  ｅＮＢ、４２  セル、１００  測定器、１０２  測定指示受付部、１１０  測定制御部、１１２  ＲＳＲＰ測定部、１１４  ＲＳＲＱ測定部、１１６  ＲＳＳＩ測定部、１１８  ＳＩＮＲ測定部、１２０  測定結果出力部、１３０  測定結果、２００  推定装置、２０２  推定値導出指示受付部、２０４  測定結果取得部、２１２  ＲＳＲＰ取得部、２１６  ＲＳＲＱ取得部、２１８  自他セルＲＳＳＩ取得部、２２０  ＳＩＮＲ取得部、２２４  自他セルＲＳＳＩ導出部、２３０  トラフィックＲＳＳＩ導出部、２４０  他セルＲＳＳＩ導出部、２４２  自セルＲＳＳＩ導出部、２５０  推定値導出部、２６０  推定値出力部
【図１】
2015204520.tif 000014
【図２】
2015204520.tif 000015
【図３】
2015204520.tif 000016
【図４】
2015204520.tif 000017
【図５】
2015204520.tif 000018
【図６】
2015204520.tif 000019
【図７】
2015204520.tif 000020
【図８】
2015204520.tif 000021
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
ＬＴＥシステムの一のセル内において測定された、前記一のセルから受信した参照信号の受信強度を示す自セルＲＳＲＰと、前記参照信号の受信品質を示すＲＳＲＱと、前記一のセル以外の他のセルから受信した参照信号の受信強度を示す他セルＲＳＲＰと、前記一のセル内において測定されたＳＩＮＲとを取得する測定結果取得部と、
前記ＲＳＲＱに基づいて、前記一のセル及び前記他のセルからの受信信号強度の合計を示す自他セルＲＳＳＩを導出する自他セルＲＳＳＩ導出部と、
前記自セルＲＳＲＰ及び前記ＳＩＮＲに基づいて、前記他のセルからの受信信号強度の合計を示す他セルＲＳＳＩを導出する他セルＲＳＳＩ導出部と、
前記自他セルＲＳＳＩ及び前記他セルＲＳＳＩに基づいて、前記一のセルからの受信信号強度の合計を示す自セルＲＳＳＩを導出する自セルＲＳＳＩ導出部と、
前記自セルＲＳＲＰ、前記ＲＳＲＱ及び前記他セルＲＳＲＰに基づいて、前記一のセルにおけるＰＲＢの使用率と、前記一のセル及び前記他のセルにおけるＰＲＢの平均使用率との少なくともいずれかの推定値を導出する推定値導出部と
を備え、
前記推定値導出部は、前記自セルＲＳＳＩ及び前記自セルＲＳＲＰに基づいて、前記一のセルにおけるＰＲＢの使用率の推定値を導出する、推定装置。
【請求項２】
前記自セルＲＳＲＰ、前記他セルＲＳＲＰ及び前記自他セルＲＳＳＩに基づいて、前記一のセル内の測定地点におけるトラフィック信号の受信信号強度の合計を示すトラフィックＲＳＳＩを導出するトラフィックＲＳＳＩ導出部
をさらに備え、
前記推定値導出部は、前記自セルＲＳＲＰ、前記他セルＲＳＲＰ及び前記トラフィックＲＳＳＩに基づいて、前記一のセル及び前記他のセルにおけるＰＲＢの平均使用率の推定値を導出する、請求項１に記載の推定装置。
【請求項３】
前記測定結果取得部は、前記自セルＲＳＲＰ、前記ＲＳＲＱ及び前記他セルＲＳＲＰを測定する測定器によって測定された測定結果を取得する、請求項１又は２に記載の推定装置。
【請求項４】
ＬＴＥシステムの一のセル内において測定された、前記一のセルから受信した参照信号の受信強度を示す自セルＲＳＲＰと、前記一のセル以外の他のセルから受信した参照信号の受信強度を示す他セルＲＳＲＰと、前記一のセル及び前記他のセルからの受信信号強度の合計を示す自他セルＲＳＳＩと、前記一のセル内において測定されたＳＩＮＲとを取得する測定結果取得部と、
前記自セルＲＳＲＰ及び前記ＳＩＮＲに基づいて、前記他のセルからの受信信号強度の合計を示す他セルＲＳＳＩを導出する他セルＲＳＳＩ導出部と、
前記自他セルＲＳＳＩ及び前記他セルＲＳＳＩに基づいて、前記一のセルからの受信信号強度の合計を示す自セルＲＳＳＩを導出する自セルＲＳＳＩ導出部と、
前記自セルＲＳＲＰ、前記他セルＲＳＲＰ及び前記自他セルＲＳＳＩに基づいて、前記一のセルにおけるＰＲＢの使用率と、前記一のセル及び前記他のセルにおけるＰＲＢの平均使用率との少なくともいずれかの推定値を導出する推定値導出部と
を備え、
前記推定値導出部は、前記自セルＲＳＳＩ及び前記自セルＲＳＲＰに基づいて、前記一のセルにおけるＰＲＢの使用率の推定値を導出する、推定装置。
【請求項５】
前記自セルＲＳＲＰ、前記他セルＲＳＲＰ及び前記自他セルＲＳＳＩに基づいて、前記一のセル内の測定地点におけるトラフィック信号の受信信号強度の合計を示すトラフィックＲＳＳＩを導出するトラフィックＲＳＳＩ導出部
をさらに備え、
前記推定値導出部は、前記自セルＲＳＲＰ、前記他セルＲＳＲＰ及び前記トラフィックＲＳＳＩに基づいて、前記一のセル及び前記他のセルにおけるＰＲＢの平均使用率の推定値を導出する、請求項４に記載の推定装置。
【請求項６】
前記測定結果取得部は、前記自セルＲＳＲＰ、前記他セルＲＳＲＰ及び前記自他セルＲＳＳＩを測定する測定器によって測定された測定結果を取得する、請求項４又は５に記載の推定装置。
【請求項７】
コンピュータを、請求項１から６のいずれか一項に記載の推定装置として機能させるためのプログラム。